(57)【要約】【課題】コンプレッサ等から排出される空気を含むドレンの気液分離を完全に行い、水質汚濁防止法の排水基準許容値以下の油分濃度の清水を送出するコンパクトタイプでメンテナンス性のよいドレン清水化装置を提供する。【解決手段】ドレン清水化装置１は空気とドレンを分離するエアブリーザ５を有する第１のタンク２と、浮遊物回収用のネット部材１０を有する第２のタンク３と、油吸着、油水の乳化分離、ＰＨ調整、脱臭及び浄化等を行う多重の油吸収フィルタを充填する第３のタンク４等とからなり、コンプレッサ等から排出されたドレンは第１乃至第３のタンク２乃至４を順次通過することにより清水化される。特に、第２の管路１４のポンプ１６は混合液を第３のタンク４に間欠送りする構造からなり、これにより第３のタンク４内における油分離吸着処理が完全に行われる。以上により基準値を満足した清水を供給側に送り出すことができる。【選択図】      図１
2004160412.tif 000002
【特許請求の範囲】
【請求項１】
コンプレッサのように油水の排出を行う装置から排出されるドレン（油と水の混合液）又は場合により空気を含むドレンを夫々気液分離して清水を排出する清水化装置であって、該装置は、空気とドレンとを分離するエアブリーザを内蔵する第１のタンクと、該第１のタンクに第１の管路を介して連通され入口側に浮遊物回収用のネット部材を設ける第２のタンクと、該第２のタンクに第２の管路を介して連結され内部に油の吸着や油水の乳化分離、ＰＨ調整、脱臭及び浄化を行う多重の油吸収フィルタを充填する第３のタンクとを備え、該第３のタンクの排出側には清水供給用の第３の管路が連結されることを特徴とするドレン清水化装置。
【請求項２】
前記第１乃至第３のタンクの排出側には開閉弁が設けられることを特徴とする請求項１に記載のドレン清水化装置。
【請求項３】
前記第２のタンクには前記ネット部材内と前記第２のタンク内とに連通するレベルゲージが設けられ、前記第２の管路にはポンプ及び場合により逆止弁が設けられ、前記ポンプは、前記第２のタンクのレベル量に対応して作動すると共に第２のタンクからの処理済の混合液を間欠的に第３のタンク側に導入するものからなり、前記逆止弁は、前記第３のタンク側から前記第２のタンク側への逆流を防止するものからなることを特徴とする請求項１又は２に記載のドレン清水化装置。
【請求項４】
前記第１のタンク及び第２のタンクの上方側にはタンク上面に浮上している油を排出するためのオーバフローパイプが連結され、該オーバフローパイプは別体の浮上油貯蔵槽に連結されることを特徴とする請求項１乃至４のいずれかに記載のドレン清水化装置。
【請求項５】
前記第２のタンクの前記オーバフローパイプには分岐管の一端側が連結され、該分岐管の他端側は前記第２のタンク内に連通されることを特徴とする請求項１乃至４のいずれかに記載のドレン清水化装置。
【請求項６】
前記第２のタンクの入口側は第１の管路に連結されている蓋体により覆われ、この蓋体は前記第１のタンク側に回動可能に支持されることを特徴とする請求項１乃至５のいずれかに記載のドレン清水化装置。
【請求項７】
前記第２の管路には、前記第３のタンク内の圧力を測定するための圧力ゲージが設けられていることを特徴とする請求項１乃至６のいずれかに記載のドレン清水化装置。
【発明の詳細な説明】
【０００１】
【発明の属する技術分野】
本発明は、コンプレッサ等から排出されるドレン（空気を含む）を分離し、水質汚濁防止法の排水基準許容値以下の清水にして排出する装置に係り、特に、コンパクトにまとめられ、メンテナンス性もよいドレン清水化装置に関する。
【０００２】
【従来の技術】
ドレンの分離を行うと共に清水化を行うための公知技術としては各種のものがあるが、本発明に近似するものとして例えば、特開２０００−６５７４２号公報、特開２０００−１５３２７１号公報、特開２０００−１６７５４１号公報、特開２００２−２１０３０３号公報等が挙げられる。特開２０００−６５７４２号公報の「油水分離方法および油水分離装置」はエアコンプレッサ等からのドレン水配管系統に逆止弁を設け、ドレン水を油や塵埃と清水とに分離して油水分離槽にドレンを導入し、かつ清水の透視度の数値管理する清水確認槽を設けたものである。但し、この技術は前記の油や塵埃を分離し清水を作る装置構造の説明が不十分であり、かつ清水確認槽の確認検出値の油水分離槽側へのフィドバック機構についての開示が不十分である。また、前記のその他の公知技術は、清水化の手段として吸着材やフィルタを用いるものであり、吸着材の交換時期やフィルタの交換時期等の判定等に主に特徴を有するものである。
【０００３】
【発明が解決しようとする課題】
ドレンを清水化する手段としては前記の公知技術にも開示するように各種のものがあるが、混合液を水質汚濁防止法の排水基準許容値以下（ノルマルヘキサン抽出物質含有量）にして排水することを明示しているものは殆どない。また、この基準を満足するには単一の吸着材やフィルタのみによって行うことは困難であり、複数のタンクを配設し、夫々のタンクに清水化に必要な手段を設け、かつドレンの導入方法や排油処理について工夫すると共に、装置構造としてはコンパクトにまとめられ、メンテナンス性に優れることが必要である。
【０００４】
本発明は、以上の事情に鑑みて発明されたものであり、処理后の油分濃度を５ｍｇ／リットル（５ｐｐｍ）以下にし、前記基準を満足する清水を排出し得ると共に、コンパクトにまとめられ、メンテナンス性もよいドレン清水化装置を提供することを目的とする。
【０００５】
【課題を解決するための手段】
本発明は、以上の目的を達成するために、請求項１のドレン清水化装置は、コンプレッサのように油水の排出を行う装置から排出されるドレン（油と水の混合液）又は場合により空気を含むドレンを夫々気液分離して清水を排出する装置であって、該装置は、空気とドレンとを分離するエアブリーザを内蔵する第１のタンクと、該第１のタンクに第１の管路を介して連通され入口側に浮遊物回収用のネット部材を設ける第２のタンクと、該第２のタンクに第２の管路を介して連結され内部に油の吸着や油水の乳化分離、ＰＨ調整、脱臭及び浄化を行う多重の油吸収フィルタを充填する第３のタンクとを備え、該第３のタンクの排出側には清水供給用の第３の管路が連結されることを特徴とする。以上の３つのタンクとこれ等に内蔵されている各種のフィルタ等により、空気を含むドレンは清浄化され、前記基準を満足する清水を送り出すことができる。
【０００６】
また、請求項２のドレン清水化装置は、前記第１乃至第３のタンクの排出側には開閉弁が設けられることを特徴とする。開閉弁を夫々設けることにより、適宜の水抜きができると共に、第３のタンクの開閉弁は充填されている油吸収フィルタのメンテナンス時においてその交換を容易化する機能を有し、メンテナンス性の向上が図れる。
【０００７】
また、請求項３のドレン清水化装置は、前記第２のタンクには前記ネット部材内と前記第２のタンク内とに連通するレベルゲージが設けられ、前記第２の管路にはポンプ及び場合により逆止弁が設けられ、前記ポンプは、前記第２のタンクのレベル量に対応して作動すると共に第２のタンク内からの処理済の混合液を間欠的に第３のタンク側に導入するものからなり、前記逆止弁は、前記第３のタンク側から前記第２のタンク側への逆流を防止するものからなることを特徴とする。ポンプとレベルゲージを対応させることにより、第３のタンク側への導入がタイムリーに行われると共に、ポンプの間欠供給により第３のタンク内における浄化が完全に行われ、清浄化が促進される。また、逆止弁の配置により、第３のタンク内の油吸収フィルタの膨縮作用時における逆流が防止され結果として清水化の向上が図れる。
【０００８】
また、請求項４のドレン清水化装置は、前記第１のタンク及び第２のタンクの上方側にはタンク上面に浮上している油を排出するためのオーバフローパイプが連結され、該オーバフローパイプは別体の浮上油貯蔵槽に連結されることを特徴とする。オーバフローパイプの配設により、浮上油の排油が確実に行われ、清浄度の向上が図れる。
【０００９】
また、請求項５のドレン清水化装置は、前記第２のタンクの前記オーバフローパイプには、分岐管一端側が連結され、該分岐管の他端は前記第２のタンク内に連通されることを特徴とする。分岐管を設けることにより本ドレン清水化装置の電源ＯＦＦ時において引き続き第２のタンク内に導入される油水が前記分岐管を介してオーバフローパイプ側に逆流して排出され第２のタンクからのオーバフローを防止することができる。
【００１０】
また、請求項６のドレン清水化装置は、前記第２のタンクの入口側は第１の管路に連結されている蓋体により覆われ、この蓋体は前記第１のタンク側に回動可能に支持されることを特徴とする。蓋体を第２のタンクと分離することにより第２のタンクのネット部材の交換が容易となり、メンテナンス性の向上が図れる。
【００１１】
また、請求項７のドレン清水化装置は、前記第２の管路には、前記第３のタンク内の圧力を測定するための圧力ゲージが設けられていることを特徴とする。これにより第３のタンク内の油吸収フィルタの目づまりが早期に発見され、清浄化の低下が防止される。
【００１２】
【発明の実施の形態】
以下、本発明のドレン清水化装置の実施の形態を図面を参照して詳述する。図１は本発明のドレン清水化装置の全体構造を示す構成図である。ドレン清水化装置１は大別して第１のタンク２と、第２のタンク３及び第３のタンク４とを並設し、これ等を管路等により連通又は連結されたものからなる。なお、ドレン（場合により空気を含む）は図略のコンプレッサ等から排出されて第１のタンク２の上方から導入される。
【００１３】
図１に示すように、第１のタンク２は細長な円筒からなり、その上方には空気とドレンとを分離するためのエアブリーザ５が設けられている。また、第一のタンクの上方側の側面には浮上油を排出するためのオーバフローパイプ６が設けられる。また、オ−バフロ−パイプ６の下端側は別体の浮上油貯油槽７に挿入される。以上の第１のタンク２の構造により、第１のタンク２内に導入された空気を含むドレンはエアブリーザ５により空気とドレンとが分離され、空気は第１のタンク２外に放出され、タンク内には重力分離された混合液が溜り、油と水との比重差により油は上方に溜り、オーバフローパイプ６から浮上油貯油槽７側に排油される。
【００１４】
第１のタンク２と第２のタンク３との間は第１の管路８により連通される。この第１の管路８はその一端を第１のタンク２の下方側に連結され、他端を第２のタンク３の上端に連通される。なお、第１の管路８の第１のタンク２と連結される下端の部位には第１のタンク２内の不要水等を排出するための開閉弁９が設けられている。
【００１５】
第２のタンク３は第１のタンク２よりも短長の円筒からなり、その上方側にはネット状の浮遊物回収用のネット部材１０が設けられている。また、ネット部材１０が配設される第２のタンクの上方の部位には浮遊物や不要の分離油を排出するためのオーバフローパイプ１１が連結される。また、レベルゲージ１２がネット部材１０内と第２のタンク３内とに連結して配設される。なお、レベルゲージ１２は第２のタンク３内のレベル量を検出するものである。また、オーバフローパイプ１１には分岐管１３の一端側が連結され、分岐管１３の他端は前記のネット部材１０から外れた第２のタンク３内に連結される。この分岐管１３は本ドレン清水化装置の電源がＯＦＦされ、引き続きコンプレッサ側からドレンが第２のタンク３内に導入されてきた場合に第２のタンク３内からオーバフローパイプ１１側に向かってドレンを逆流させるためのものであり、これにより第２のタンク３自体のオーバフローが防止される。
【００１６】
第２のタンク３と第３のタンク４とは第２の管路１４により連結される。この第２の管路１４の一端は第２のタンク３の下端に連結され、その他端は第３のタンク４の上端に連結される。また、第２の管路１４の第２のタンク３との連結部位には第２のタンク３内の不要の水等を排出するための開閉弁１５が設けられる。また、第２の管路１４の中間部にはポンプ１６及び逆止弁１７が設けられ、その上端側には圧力ゲージ１８が設けられている。
【００１７】
ポンプ１６はレベルゲージ１２と電気的に連結され、レベルゲージ１２の検出するレベル量に対応して作動すべく構成されると共に第３のタンク４側に間欠的に混合液を送出するように構成される。また、逆止弁１７は第３のタンク４側から第２のタンク３側への逆流を防止する構造からなる。また、圧力ゲージ１８は第３のタンク４内の圧力検出を行うものである。
【００１８】
第３のタンク４は第２のタンク３よりやや短長な円筒からなり、その内部には油の吸着、油水の乳化分離、ＰＨ調整、脱臭及び浄化等を行うためのフィルタを積重した油吸収フィルタ１９が充填される。また、第３のタンク４の下端側には第３の管路２０が連結される。この第３の管路は清水供給側に清水２１を送るためのものである。なお、この第３の管路２０の第３のタンク４との連結される下端側には開閉弁２２が設けられ、第３の管路２０の清水２１の送出される部位にも開閉弁２３が設けられている。
【００１９】
次に、本発明のドレン清水化装置１によるドレンの清水化作用について説明する。まず、図略のコンプレッサ等から空気を含むドレンが排出され第１のタンク２の上方から導入される。ここでエアブリーザ５により空気とドレンは分離され、空気は大気中に放出され、ドレンは重力により油水分離され、第１のタンク２内に溜る。なお、浮上した油はオーバフローパイプ６により浮上油貯油槽７側に排出される。第１のタンク２により油水をある程度分離された混合液は第１の管路８を介して第２のタンク３内に導入される。ここで混合液内の浮遊物や油分がネット部材１０により吸着される。また、浮上した油はオーバフローパイプ１１を介して浮上油貯油槽７側に排出される。第２のタンク３内で更に油水分離された混合液は間欠運転されるポンプ１６により逆止弁１７を通り、第３のタンク４内に導入される。ポンプ１６が間欠的に混合液を第３のタンク４側に導入するのは、一度に多量の混合液を第３のタンク４側に供給することによる油水分離効果の低減を防止し、十分な油水分離を第３のタンク４内で行わせるためのものである。また、間欠的に混合液を第３のタンク４内に導入しても、第３のタンク４内に充填されている油吸収フィルタは膨脹し、逆流が生ずるが、逆止弁１７により第３のタンク４側からの逆流を防止し、第３のタンク４内における油水分離が十分に行われるようにするためである。なお、逆止弁１７は逆流が少なく、かつポンプ１６の送り出し力の大きい場合には設けなくてもよい。
【００２０】
第３のタンク４内には前記のように多様な性能を有する油吸収フィルタ４が充填されているため混合液はここで十分に分離，吸着、ＰＨ調整、脱臭、浄化され、結果として、第３の管路２０側には基準値を満足した清水２１が送られる。
【００２１】
一方、前記したようにポンプ１６はレベルゲージ１２と対応して動作するため、ドレン清水化装置１の全体の系路を通じての混合液の排出作用は円滑に行われる。また、開閉弁９，１５の存在により、第１のタンク２や第２のタンク３内の清浄化される。また、前記のように分岐管１３の存在により、本ドレン清水化装置の電源ＯＦＦ時における第２のタンク３自体のオーバフローが防止される。また、油吸収フィルタ１９の詰まり等が発生した場合、圧力ゲージ１８によりその状態が検出され、油吸収フィルタ１９の交換時期やメンテナンスがタイムリーに行われる。なお、この油吸収フィルタ１９のメンテナンス時には開閉弁２２を開放する。これにより油吸収フィルタ１９のタンク内への挿入時の圧力上昇や引き出し時の真空作用が防止され、円滑の挿出入ができる。以上により、排出された清水２１の油分は５ｍｇ／リットル（５ｐｐｍ）以下のノルマルヘキサン値を有するものとなり、水質汚濁防止法との排水基準許容値を満足するものになることが実証された。
【００２２】
図２乃至図４は本発明の請求項６に対応する実施の形態を示すための図である。第２のタンク３の上端の入口側は固定蓋により閉止されていてもよいが、もともと第１のタンク２と第２のタンク３及び第３のタンク４側とは別体のものからなり、分離式の蓋体２４を採用することが望ましい。また、浮遊物回収用のネット部材１０の交換やメンテナンスの容易化を図るために固定蓋でない方が望ましい。即ち、図４に示すように、蓋体２４は第２のタンク３の上端から少し離れた位置に分離された状態で配置される。少し離れた状態で配置されるのは蓋体２４の回動を円滑に行わせるためである。
【００２３】
蓋体２４は、その基端側を基板２５に回転可能にビス２６により固定される。また、基板２５はＵボルト２７等により第１のタンク２側に固定される。また、蓋体２４には第１の管路８の上端側が連結されている。以上の構造により、ビス２６を弛めることにより、蓋体２４は回動され、第２のタンク３の上端が開放されるためネット部材１０は容易に交換することができる。特に、このネット部材１０は詰まり易いため、交換し易いことがメンテナンス性の向上のためには効果的である。
【００２４】
【発明の効果】
１）本発明の請求項１のドレン清水化装置によれば、３つのタンクとこれ等に内蔵されている各種のフィルタの油水分離作用により、空気とドレン及びドレンの油水分離が完全に行われ、基準値を満足する清水の送り出しができる。
２）本発明の請求項２のドレン清水化装置によれば、開閉弁を用いることにより、第１及び第２のタンクの水抜きが適宜行われ、タンク内の清浄化が保持されると共に、第３のタンクにおける開閉弁の作用により、油吸収フィルタのメンテナンス時の作業が円滑に行われる効果が上げられる。
３）本発明の請求項３のドレン清水化装置によれば、ポンプの作用がレベルゲージのレベル検出に対応して行われ、かつ間欠的に第３のタンク側に混合液を導入する構造からなるため、全体系の安定化と第３のタンク内における油水分離の完全化が図れる。また、逆止弁の存在により、第３のタンク内への油水導入に伴う逆流が防止され、タンク内での油水分離作用の確実化が図れる。
４）本発明の請求項４のドレン清水化装置によれば、オーバフローパイプを設けることにより浮上油の排油が確実に行われ、混合液の清浄度の向上が図れる。
５）本発明の請求項５のドレン清水化装置によれば、分岐管を設けることにより、本ドレン清水化装置の電源ＯＦＦ時における第２のタンク自体からのオーバフローが防止され系路の混合液の流れの安定化が図れる。
６）本発明の請求項６のドレン清水化装置によれば、蓋体を分離式にすることにより、第２のタンクのネット部材のメンテナンスの容易化が図れ、かつ蓋体の回動も円滑に行われる。
７）本発明の請求項７のドレン清水化装置によれば、圧力ゲージを設けることにより、第３のタンク内の油吸収フィルタの目づまりをタイムリーに検出でき、系路の安定化が図れる。
【図面の簡単な説明】
【図１】本発明のドレン清水化装置の全体構造を示す構成図。
【図２】分離式の蓋体まわりの構造を示す構成図。
【図３】分離式の蓋体まわりの詳細構造を説明するための部分上面図。
【図４】分離式の蓋体の取付構造を説明するためのＡ−Ａ線拡大部分断面図。
【符号の説明】
１    ドレン清水化装置
２    第１のタンク
３    第２のタンク
４    第３のタンク
５    エアブリーザ
６    オーバフローパイプ
７    浮上油貯油槽
８    第１の管路
９    開閉弁
１０  ネット部材
１１  オーバフローパイプ
１２  レベルゲージ
１３  分岐管
１４  第２の管路
１５  開閉弁
１６  ポンプ
１７  逆止弁
１８  圧力ゲージ
１９  油吸収フィルタ
２０  第３の管路
２１  清水
２２  開閉弁
２３  開閉弁
２４  蓋体
２５  基板
２６  ビス
２７  Ｕボルト
【図１】
2004160412.tif 000003
【図２】
2004160412.tif 000004
【図３】
2004160412.tif 000005
【図４】
2004160412.tif 000006